(57)【要約】【課題】基点マークの検出位置の最大誤差を小さくする。【解決手段】運転支援装置１は、誘導線検出部１１と、残距離取得部１２と、制動制御部１３と、を備えて、停止予定位置Ｐに通じる誘導線Ｌに基づいて車両を運転制御する。誘導線Ｌは、停止予定位置Ｐから第一距離Ｄ１の位置に設けられた基点マークＭ１を含む。誘導線検出部１１は、撮像画像Ｉの計測位置ＭＰにおいて基点マークＭ１を検出するとともに、撮像画像Ｉの計測位置ＭＰにおいて基点マークＭ１を検出すると、計測位置ＭＰにおける基点マークＭ１の検出位置ＤＰを、誘導線Ｌの延在方向における基点マークＭ１の中央として設定し、残距離取得部１２は、誘導線検出部１１が設定した基点マークＭ１の位置に基づいて残距離を取得する。【選択図】図１
2019192109.tif 000002
【特許請求の範囲】
【請求項１】
停止予定位置に通じる誘導線に基づいて車両を運転制御する運転支援装置であって、
カメラの撮像画像から前記誘導線を検出する誘導線検出部と、
前記車両の前記停止予定位置までの残距離を取得する残距離取得部と、
前記残距離取得部が取得した前記残距離に基づいて前記車両を減速制御して前記停止予定位置に停止させる制動制御部と、を備え、
前記誘導線は、前記誘導線の延在方向に離間した複数の線分により構成されて、前記停止予定位置から第一距離の位置に設けられた基点マークを含み、
前記誘導線検出部は、前記撮像画像の計測位置において前記基点マークを検出するとともに、前記撮像画像の前記計測位置において前記基点マークを検出すると、前記計測位置における前記基点マークの検出位置を、前記誘導線の延在方向における前記基点マークの中央として設定し、
前記残距離取得部は、前記誘導線検出部が設定した前記基点マークの位置に基づいて前記残距離を取得する、
運転支援装置。
【請求項２】
前記誘導線は、互いに平行な一対の破線により形成されており、
前記基点マークは、前記一対の破線のそれぞれに含まれている、
請求項１に記載の運転支援装置。
【請求項３】
前記基点マークは、前記誘導線を構成する前記線分の線幅よりも広い線幅で表されている、
請求項１又は２に記載の運転支援装置。
【請求項４】
前記誘導線は、前記停止予定位置から前記第一距離よりも短い第二距離の位置に設けられた補正基点マークを含み、
前記誘導線検出部は、前記撮像画像の計測位置において前記補正基点マークを検出し、前記撮像画像の計測位置における前記補正基点マークの検出位置を、前記誘導線の延在方向における前記補正基点マークの中央として設定し、
前記残距離取得部は、前記誘導線検出部が設定した前記補正基点マークの検出位置、及び前記基点マークから前記補正基点マークまでの距離とその間に前記車両の車輪が回転することにより積算された距離との関係から求まる補正係数に基づいて前記残距離を補正する、
請求項１〜３の何れか一項に記載の運転支援装置。
【請求項５】
前記誘導線検出部が取得した前記誘導線に基づいて前記車両を操舵制御する操舵制御部を更に備える、
請求項１〜４の何れか一項に記載の運転支援装置。
【請求項６】
停止予定位置に通じる誘導線と、
前記誘導線に基づいて車両を前記停止予定位置に停止させる運転支援装置と、を備える交通システムであって、
前記誘導線は、前記誘導線の延在方向に離間した複数の線分により構成されて、前記停止予定位置から第一距離の位置に設けられた基点マークを含み、
前記運転支援装置は、
カメラの撮像画像から前記誘導線を検出する誘導線検出部と、
前記車両の前記停止予定位置までの残距離を取得する残距離取得部と、
前記残距離取得部が取得した前記残距離に基づいて前記車両を減速制御して前記停止予定位置に停止させる制動制御部と、を備え、
前記誘導線検出部は、前記撮像画像の計測位置において前記基点マークを検出すると、前記撮像画像の前記計測位置において検出した前記基点マークの位置を、前記誘導線の延在方向における前記基点マークの中央として設定し、
前記残距離取得部は、前記誘導線検出部が設定した前記基点マークの位置に基づいて前記残距離を取得する、
交通システム。
【発明の詳細な説明】
【技術分野】
【０００１】
本発明は、停止予定位置に通じる誘導線に基づいて車両を運転制御する運転支援装置及び交通システムに関する。
【背景技術】
【０００２】
従来、停止予定位置に通じる誘導線に基づいて車両を運転制御する運転支援装置として、特許文献１に記載された運転支援装置がある。特許文献１に記載された運転支援装置は、路面に表された誘導線を検出すると、当該誘導線に沿って路線バスの操舵制御及び減速制御を行い、路線バスをバス停留所に停止させるものである。
【先行技術文献】
【特許文献】
【０００３】
【特許文献１】特開２０１７−１９６９６７号公報
【発明の概要】
【発明が解決しようとする課題】
【０００４】
ところで、車両の停止予定位置までの残距離を取得する手段として、例えば、誘導線に基点マークを含ませておく手段が考えられる。この手段では、停止予定位置から基点マークまでの距離を予め登録しておき、カメラの撮像画像の計測位置において基点マークを検出すると、登録された距離を、車両の停止予定位置までの残距離として取得する。
【０００５】
しかしながら、車速が早い状態では、カメラのリフレッシュレート（フレームレート）の制限から、基点マークの位置を高精度に検出することができない。例えば、カメラのリフレッシュレートにより基点マークを１回しか検出できない場合、検出した位置が基点マークのどの場所であるのかを特定することができない。このため、基点マークの前端を検出した場合と、基点マークの後端を検出した場合とでは、基点マークの全長分だけ誤差が生じる。
【０００６】
そこで、基点マークの検出位置の最大誤差を小さくすることができる運転支援装置及び交通システムを提供することを目的とする。
【課題を解決するための手段】
【０００７】
本発明に係る運転支援装置は、停止予定位置に通じる誘導線に基づいて車両を運転制御する運転支援装置であって、カメラの撮像画像から誘導線を検出する誘導線検出部と、車両の停止予定位置までの残距離を取得する残距離取得部と、残距離取得部が取得した残距離に基づいて車両を減速制御して停止予定位置に停止させる制動制御部と、を備え、誘導線は、誘導線の延在方向に離間した複数の線分により構成されて、停止予定位置から第一距離の位置に設けられた基点マークを含み、誘導線検出部は、撮像画像の計測位置において基点マークを検出するとともに、撮像画像の計測位置において基点マークを検出すると、計測位置における基点マークの検出位置を、誘導線の延在方向における基点マークの中央として設定し、残距離取得部は、誘導線検出部が設定した基点マークの位置に基づいて残距離を取得する。
【０００８】
この運転支援装置では、残距離取得部は、誘導線検出部が検出した基点マークに基づいて残距離を取得するため、高精度に車両を停止予定位置に停止させることができる。そして、誘導線検出部は、撮像画像の計測位置において基点マークを検出すると、撮像画像の計測位置における基点マークの検出位置を、誘導線の延在方向における基点マークの中央として設定する。これにより、カメラのリフレッシュレートにより基点マークを１回しか検出できなくても、設定される基点マークの位置は常に誘導線の延在方向における基点マークの中央となるため、基点マークの検出位置の最大誤差は基点マークの半分の長さとなる。これにより、基点マークの検出位置の最大誤差を小さくすることができる。
【０００９】
誘導線は、互いに平行な一対の破線により形成されており、基点マークは、一対の破線のそれぞれに含まれていてもよい。この運転支援装置では、誘導線が互いに平行な一対の破線により形成されており、基点マークが一対の破線のそれぞれに含まれているため、誘導線と他の区画線とを容易に区別することができるとともに、基点マークを容易に検出することができる。
【００１０】
基点マークは、誘導線を構成する線分の線幅よりも広い線幅で表されていてもよい。この運転支援装置では、基点マークが誘導線を構成する線分の線幅よりも広い線幅で表されているため、基点マークの形状を単純化しつつ、撮像画像からの基点マークの検出容易性を確保することができる。
【００１１】
誘導線は、停止予定位置から第一距離よりも短い第二距離の位置に設けられた補正基点マークを含み、誘導線検出部は、撮像画像の計測位置において補正基点マークを検出し、撮像画像の計測位置における補正基点マークの検出位置を、誘導線の延在方向における補正基点マークの中央として設定し、残距離取得部は、誘導線検出部が設定した補正基点マークの検出位置、及び基点マークから補正基点マークまでの距離とその間に車両の車輪が回転することにより積算された距離との関係から求まる補正係数に基づいて残距離を補正してもよい。この運転支援装置では、残距離取得部は、誘導線検出部が検出した補正基点マークの検出位置、及び基点マークから補正基点マークまでの距離とその間に車両の車輪が回転することにより積算された距離との関係から求まる補正係数に基づいて残距離を補正するため、より高精度に車両を停止予定位置に停止させることができる。そして、誘導線検出部は、撮像画像の計測位置において補正基点マークを検出すると、撮像画像の計測位置における補正基点マークの検出位置を、誘導線の延在方向における補正基点マークの中央として設定する。これにより、カメラのリフレッシュレートにより補正基点マークを１回しか検出できなくても、設定される補正基点マークの位置は常に誘導線の延在方向における補正基点マークの中央となるため、補正基点マークの検出位置の最大誤差は補正基点マークの半分の長さとなる。これにより、補正基点マークの検出位置の最大誤差を小さくすることができる。
【００１２】
誘導線検出部が取得した誘導線に基づいて車両を操舵制御する操舵制御部を更に備えてもよい。この運転支援装置では、操舵制御部が誘導線に基づいて車両を操舵制御するため、より高精度に車両を停止予定位置に停止させることができる。
【００１３】
本発明に係る交通システムは、停止予定位置に通じる誘導線と、誘導線に基づいて車両を停止予定位置に停止させる運転支援装置と、を備える交通システムであって、誘導線は、誘導線の延在方向に離間した複数の線分により構成されて、停止予定位置から第一距離の位置に設けられた基点マークを含み、運転支援装置は、カメラの撮像画像から誘導線を検出する誘導線検出部と、車両の停止予定位置までの残距離を取得する残距離取得部と、残距離取得部が取得した残距離に基づいて車両を減速制御して停止予定位置に停止させる制動制御部と、を備え、誘導線検出部は、撮像画像の計測位置において基点マークを検出すると、撮像画像の計測位置において検出した基点マークの位置を、誘導線の延在方向における基点マークの中央として設定し、残距離取得部は、誘導線検出部が設定した基点マークの位置に基づいて残距離を取得する。
【００１４】
この交通システムでは、残距離取得部は、誘導線検出部が検出した基点マークに基づいて残距離を取得するため、高精度に車両を停止予定位置に停止させることができる。そして、誘導線検出部は、撮像画像の計測位置において基点マークを検出すると、撮像画像の計測位置における基点マークの検出位置を、誘導線の延在方向における基点マークの中央として設定する。これにより、カメラのリフレッシュレートにより基点マークを１回しか検出できなくても、設定される基点マークの位置は常に誘導線の延在方向における基点マークの中央となるため、基点マークの検出位置の最大誤差は基点マークの半分の長さとなる。これにより、基点マークの検出位置の最大誤差を小さくすることができる。
【発明の効果】
【００１５】
本発明によれば、基点マークの検出位置の最大誤差を小さくすることができる。
【図面の簡単な説明】
【００１６】
【図１】実施形態に係る運転支援装置の機能構成を示すブロック図である。
【図２】実施形態に係る交通システムを示す平面図である。
【図３】（ａ）はカメラの撮像画像の一例を示す図、（ｂ）は撮像画像の計測位置における基点マークの検出位置を示す図である。
【図４】（ａ）〜（ｃ）は、基点マークと撮像画像の計測位置との関係を説明するための図である。
【図５】（ａ）〜（ｃ）は、基点マーク検出部による基点マークの検出位置の設定（補正）を説明するため図である。
【図６】実施形態に係る運転支援装置の動作を示すフローチャートである。
【発明を実施するための形態】
【００１７】
以下、本発明の好適な実施形態について、図面を参照して詳細に説明する。なお、以下の説明において同一又は相当要素には同一符号を付し、重複する説明を省略する。
【００１８】
［交通システム］
図１は、実施形態に係る運転支援装置の機能構成を示すブロック図である。図２は、実施形態に係る交通システムを示す平面図である。図１及び図２に示すように、運転支援装置１は、停止予定位置Ｐに通じる誘導線Ｌに基づいて車両Ｖを運転制御する装置である。運転支援装置１は、運転制御の対象である車両Ｖに搭載されている。車両Ｖ及び停止予定位置Ｐは、特に限定されるものではないが、本実施形態では、車両Ｖは路線バス、停止予定位置Ｐはバス停留所であるものとして説明する。
【００１９】
［誘導線］
図２に示すように、誘導線Ｌは、走行車線を走行している車両Ｖを路肩（又は路肩の近傍）に設けられた停止予定位置Ｐに案内するための線である。誘導線Ｌは、走行車線の路面に表されている。なお、走行車線が２車線以上ある場合は、誘導線Ｌは、最も路肩側に位置する走行車線の路面に表されている。誘導線Ｌは、他の区画線と区別することができるように、誘導線Ｌの延在方向に離間した複数の線分Ｓにより構成されている。より具体的には、誘導線Ｌは、互いに平行な一対の破線により形成されており、一対の破線のそれぞれが、当該破線の延在方向に離間した複数の線分Ｓにより構成されている。線分Ｓは、各破線の延在方向に長い矩形状に形成されている。
【００２０】
誘導線Ｌは、停止予定位置Ｐとは反対側の先端部に位置する第一直線部Ｌ１と、第一直線部Ｌ１に続く第一曲線部Ｌ２と、第一曲線部Ｌ２に続く第二曲線部Ｌ３と、第二曲線部Ｌ３に続き停止予定位置Ｐに至る第二直線部Ｌ４と、を有する。第一直線部Ｌ１は、走行車線と平行な直線に形成されている。第一曲線部Ｌ２は、路肩側に曲率中心を有する曲線（サイクロイド曲線）に形成されている。第二曲線部Ｌ３は、路肩とは反対側に曲率中心を有する曲線（サイクロイド曲線）に形成されている。このため、第一曲線部Ｌ２及び第二曲線部Ｌ３は、互いに逆側となる曲率を有している。第二直線部Ｌ４は、路肩（走行車線）と平行な直線に形成されている。つまり、誘導線Ｌは、第一直線部Ｌ１において、車両Ｖを走行車線に沿って走行させるように案内し、次に、第一曲線部Ｌ２及び第二曲線部Ｌ３において、車両Ｖを路肩に近づけさせるように案内し、次に、第二直線部Ｌ４において、停止予定位置Ｐまで車両Ｖを路肩に沿って走行させるように案内する。
【００２１】
第一直線部Ｌ１には、基点マークＭ１が含まれている。基点マークＭ１は、停止予定位置Ｐから第一距離Ｄ１の位置に設けられたマークである。基点マークＭ１は、誘導線Ｌを構成する複数の線分Ｓの１つ又は複数を、異なる形状にしたものである。図２では、２つの線分Ｓが、基点マークＭ１となっている。基点マークＭ１の形状としては、誘導線Ｌを構成する線分Ｓと区別することができれば、特に限定されるものではなく、例えば、誘導線Ｌを構成する線分Ｓの線幅を広くした形状とすることができる。この場合、基点マークＭ１の線幅は、例えば、誘導線Ｌを構成する線分Ｓの線幅の１．３〜２．０倍程度とすることができる。
【００２２】
第二直線部Ｌ４には、補正基点マークＭ２が含まれている。補正基点マークＭ２は、停止予定位置Ｐから第一距離Ｄ１よりも短い第二距離Ｄ２の位置に設けられたマークである。補正基点マークＭ２は、誘導線Ｌを構成する複数の線分Ｓの１つ又は複数を、異なる形状にしたものである。図２では、１つの線分Ｓが、補正基点マークＭ２となっている。補正基点マークＭ２の形状としては、誘導線Ｌを構成する線分Ｓと区別することができれば、特に限定されるものではなく、例えば、基点マークＭ１と同じ形状とすることができる。なお、補正基点マークＭ２は、第二直線部Ｌ４ではなく第二曲線部Ｌ３に含まれていてもよい。
【００２３】
［運転支援装置］
図１に示すように、運転支援装置１は、カメラ２、アクチュエータ３、及びＥＣＵ［Electronic Control Unit］１０、を備えている。
【００２４】
カメラ２は、車両Ｖの前方を撮像することにより、車両Ｖの前方の路面に表された誘導線Ｌを撮像する。カメラ２は、例えば、車両Ｖのフロントガラスの裏側又は前端部に、路面に向くように取り付けられている。カメラ２は、単眼カメラであってもよく、ステレオカメラであってもよい。ステレオカメラは、例えば、両眼視差を再現するように配置された２つの撮像部を有している。ステレオカメラの撮像情報には、奥行き方向の情報も含まれている。カメラ２は、撮像した画像をＥＣＵ１０に送信する。
【００２５】
アクチュエータ３は、車両Ｖの走行制御を実行する装置である。アクチュエータ３は、ブレーキアクチュエータ、及び操舵アクチュエータを含む。ブレーキアクチュエータは、ＥＣＵ１０からの制御信号に応じてブレーキシステムを制御し、車両Ｖの車輪へ付与する制動力を制御する。ブレーキシステムとしては、例えば、液圧ブレーキシステム、エアブレーキシステム等を用いることができる。操舵アクチュエータは、例えば、ステアリングシャフトに設けられたモータアクチュエータである。操舵アクチュエータは、ＥＣＵ１０からの制御信号に応じて、ステアリングシャフトを回転させることによって、車両Ｖの操舵を行う。
【００２６】
ＥＣＵ１０は、ＣＰＵ[Central Processing Unit]、ＲＯＭ[Read Only Memory]、ＲＡＭ[Random AccessMemory]等を有する電子制御ユニットである。ＥＣＵ１０では、ＲＯＭに記憶されているプログラムをＲＡＭにロードし、ＣＰＵで実行することで、各種の制御を実行する。ＥＣＵ１０は、複数の電子制御ユニットから構成されていてもよい。
【００２７】
ＥＣＵ１０は、誘導線検出部１１、残距離取得部１２、制動制御部１３、及び操舵制御部１４を有する。
【００２８】
誘導線検出部１１は、カメラ２の撮像画像から誘導線Ｌを検出する。誘導線検出部１１は、例えば、カメラ２の撮像画像から、パターンマッチング等の手法により誘導線Ｌを構成する線分Ｓを検出することにより、誘導線Ｌを検出する。
【００２９】
誘導線検出部１１は、基点マーク検出部１５、及び補正基点マーク検出部１６を有する。
【００３０】
基点マーク検出部１５は、カメラ２の撮像画像から基点マークＭ１を検出する。基点マークＭ１が誘導線Ｌを構成する線分Ｓの線幅を広くした形状である場合、基点マーク検出部１５は、カメラ２により撮像された画像に基づいて、誘導線Ｌを構成する線分Ｓの線幅を検出する。そして、誘導線Ｌを構成する線分Ｓの線幅よりも広い線幅の線分が検出されると、この検出した線分を、基点マークＭ１として検出する。なお、基点マークＭ１そのものを検出した場合に、基点マークＭ１を検出したものと判定してもよく、車両Ｖの進行方向における基点マークＭ１と通常の線分Ｓとの組み合わせパターンが所定のパターンと一致した場合に、基点マークＭ１を検出したものと判定してもよい。基点マーク検出部１５については、後段でも詳しく説明する。
【００３１】
補正基点マーク検出部１６は、カメラ２により撮像された画像に基づいて、補正基点マークＭ２を検出する。補正基点マーク検出部１６は、例えば、基点マーク検出部１５と同じ手法により基点マークＭ１を検出する。補正基点マーク検出部１６については、後段でも詳しく説明する。
【００３２】
残距離取得部１２は、車両Ｖの停止予定位置Ｐまでの残距離を取得する。つまり、誘導線検出部１１が基点マークＭ１を検出した場合は、残距離取得部１２は、基点マークＭ１の位置に基づいて残距離を取得する。
【００３３】
具体的に説明すると、ＥＣＵ１０等のメモリに、基点マークＭ１の基準位置から停止予定位置Ｐまでの残距離を予め登録しておく。この登録された基点マークＭ１から停止予定位置Ｐまでの残距離を、基点マークＭ１から停止予定位置Ｐまでの登録距離ともいう。つまり、基点マークＭ１は、誘導線Ｌの延在方向において所定の長さを有するため、誘導線Ｌの延在方向における基点マークＭ１の特定の位置が、基点マークＭ１の基準位置となる。この場合、基点マークＭ１の基準位置の特定を容易にする観点から、基点マークＭ１の基準位置は、誘導線Ｌの延在方向における基点マークＭ１の前端又は後端とすることができる。前端とは、基点マークＭ１における停止予定位置Ｐ側の先端をいい、後端とは、基点マークＭ１における停止予定位置Ｐとは反対側の先端をいう。本実施形態では、誘導線Ｌの延在方向における基点マークＭ１の後端が、基点マークＭ１の基準位置であるものとして説明する。そして、誘導線検出部１１が基点マークＭ１を検出すると、残距離取得部１２は、基点マークＭ１の基準位置から停止予定位置Ｐまでの登録距離をメモリから読み出し、この読み出した登録距離を、車両Ｖの停止予定位置Ｐまでの残距離とする。
【００３４】
なお、残距離は、車両Ｖと停止予定位置Ｐとの直線距離であってもよいが、高精度に車両Ｖを停止予定位置Ｐに停止させる観点からは、誘導線Ｌに沿った経路の残距離であることが好ましい。
【００３５】
また、残距離取得部１２は、誘導線検出部１１が補正基点マークＭ２を検出すると、補正基点マークＭ２の位置に基づいて残距離を補正する。つまり、残距離取得部１２が基点マークＭ１に基づいて残距離を取得した後は、車両Ｖの車輪が回転することにより算出される走行距離に応じて残距離を減算していくが、タイヤの摩耗に代表される誤差の発生により、残距離が正確に算出されない可能性がある。そこで、ＥＣＵ１０のメモリ等に、補正基点マークＭ２の基準位置から停止予定位置Ｐまでの残距離を予め登録しておく。この登録された補正基点マークＭ２から停止予定位置Ｐまでの残距離を、補正基点マークＭ２から停止予定位置Ｐまでの登録距離ともいう。なお、補正基点マークＭ２の基準位置は、基点マークＭ１の基準位置と同様である。そして、基点マーク検出部１５が基点マークＭ１を検出した後、残距離取得部１２は、基点マークＭ１から補正基点マークＭ２までの距離とその間に車輪が回転することにより積算される距離との関係から補正係数を算出する。なお、基点マークＭ１から補正基点マークＭ２までの距離は、基点マークＭ１から停止予定位置Ｐまでの登録距離から、補正基点マークＭ２から停止予定位置Ｐまでの登録距離を減算することにより求めることができる。なお、この距離は、予めＥＣＵ１０等のメモリに登録しておけば、メモリから読み出すことで取得することができる。そして、誘導線検出部１１が補正基点マークＭ２を検出すると、残距離取得部１２は、補正基点マークＭ２の基準位置から停止予定位置Ｐまでの登録位置をメモリから読み出し、この読み出した登録位置に基づいて、車両Ｖの停止予定位置Ｐまでの残距離を補正係数により補正する。
【００３６】
制動制御部１３は、残距離取得部１２が取得した残距離に基づいて車両Ｖを減速制御して停止予定位置Ｐに停止させる。つまり、制動制御部１３は、残距離取得部１２が取得した残距離に基づいてアクチュエータ３を作動させ、車両Ｖを減速させる。具体的には、ブレーキアクチュエータによりブレーキを作動させることで、車両Ｖを減速させる。そして、これらの減速制御により、車両Ｖを停止予定位置Ｐに停止させる。
【００３７】
具体的に説明すると、誘導線検出部１１が基点マークＭ１を検出すると、制動制御部１３は、車両Ｖの車速が、残距離取得部１２により取得された残距離に対応した目標車速となるように、アクチュエータ３に対して減速度を指示する。アクチュエータ３は、制動制御部１３から指示された減速度となるように、車両Ｖを減速させる。
【００３８】
操舵制御部１４は、誘導線検出部１１が取得した誘導線Ｌに基づいて車両Ｖを操舵制御する。つまり、操舵制御部１４は、誘導線検出部１１が取得した誘導線Ｌに沿って走行するように、車両Ｖを操舵制御する。具体的には、操舵アクチュエータによりステアリングシャフトを回転させることで、車両Ｖを操舵する。そして、これらの操舵制御により、誘導線Ｌに沿って車両Ｖを停止予定位置Ｐまで走行させる。
【００３９】
［基点マーク検出部及び補正基点マーク検出部の詳細］
次に、上述した基点マーク検出部１５及び補正基点マーク検出部１６について更に詳しく説明する。
【００４０】
図３の（ａ）に示すように、基点マーク検出部１５は、撮像画像Ｉの計測位置ＭＰにおいて基点マークＭ１を検出する。撮像画像Ｉの計測位置ＭＰは、車両Ｖから所定距離前方の位置に対応する位置である。つまり、撮像画像Ｉにおける計測位置ＭＰには、車両Ｖから所定距離前方の位置が映し出されている。この計測位置ＭＰは、適宜設定することができる。そして、基点マーク検出部１５は、撮像画像Ｉの計測位置ＭＰにおいて基点マークＭ１を検出すると、図３の（ｂ）に示すように、計測位置ＭＰにおける基点マークＭ１の検出位置ＤＰを、誘導線Ｌの延在方向における基点マークＭ１の中央として設定する。
【００４１】
具体的に説明すると、カメラ２の撮像画像Ｉに誘導線Ｌが映し出されると、誘導線検出部１１は、この撮像画像Ｉからパターンマッチング等の手法により誘導線Ｌを構成する線分Ｓを検出する。誘導線検出部１１が線分Ｓを検出すると、基点マーク検出部１５は、撮像画像Ｉの計測位置ＭＰにおいて、線分Ｓの線幅を計測する。そして、基点マーク検出部１５は、計測した線幅が、例えば、誘導線Ｌを構成する線分Ｓの線幅と同じ（略同じ）である場合は、検出した線分Ｓが基点マークＭ１ではなく、誘導線Ｌを構成する通常の線分Ｓであると判断する。一方、基点マーク検出部１５は、計測した線幅が、例えば、誘導線Ｌを構成する線分Ｓの線幅よりも広い場合は、検出した線分Ｓが基点マークＭ１であると判断する。これにより、基点マークＭ１が検出される。
【００４２】
ここで、撮像画像Ｉから基点マークＭ１が検出された場合、カメラ２の撮像タイミングによって、計測位置ＭＰと基点マークＭ１との位置関係が変わる。計測位置ＭＰと基点マークＭ１との位置関係が変わると、基点マークＭ１の検出位置ＤＰと基点マークＭ１の基準位置との位置関係も変わる。上述したように、残距離の算出基点となる基点マークＭ１の基準位置は、誘導線Ｌの延在方向における基点マークＭ１の特定の位置（本実施形態では、基点マークＭ１の後端）である。このため、基点マークＭ１の基準位置に対する基点マークＭ１の検出位置のズレ（誤さ）が、メモリに登録されている残距離に対するズレ（誤さ）となる。
【００４３】
ここで、一例として、図４の（ａ）〜（ｃ）に示すように、誘導線Ｌの延在方向における基点マークＭ１の長さが５００ｍｍ、基点マークＭ１の後端が基点マークＭ１の基準位置ＲＰである場合を考える。
【００４４】
図４の（ａ）では、基点マークＭ１の後端が撮像画像Ｉの計測位置ＭＰに位置している。この場合は、基点マークＭ１の基準位置ＲＰに対する基点マークＭ１の検出位置ＤＰのズレ（誤さ）は、０ｍｍとなる。図４の（ｂ）では、基点マークＭ１の後端から３００ｍｍの位置が撮像画像Ｉの計測位置ＭＰに位置している。この場合は、基点マークＭ１の基準位置ＲＰに対する基点マークＭ１の検出位置ＤＰのズレ（誤さ）は、３００ｍｍとなる。図４の（ｃ）では、基点マークＭ１の前端が撮像画像Ｉの計測位置ＭＰに位置している。この場合は、基点マークＭ１の基準位置ＲＰに対する基点マークＭ１の検出位置ＤＰのズレ（誤さ）は、５００ｍｍとなる。このように、基点マークＭ１の検出位置ＤＰを補正しない場合は、最大誤差が、誘導線Ｌの延在方向における基点マークＭ１の長さ（５００ｍｍ）となる。
【００４５】
これに対し、本実施形態では、基点マーク検出部１５が、計測位置ＭＰにおける基点マークＭ１の検出位置ＤＰを、誘導線Ｌの延在方向における基点マークＭ１の中央として設定する。この場合、車両Ｖの停止予定位置Ｐまでの残距離は、基点マークＭ１の基準位置から誘導線Ｌの延在方向における基点マークＭ１の中央までの距離と、誘導線Ｌの延在方向における基点マークＭ１の中央から停止予定位置Ｐまでの距離との合計値により表される。
【００４６】
ここで、一例として、図５の（ａ）〜（ｃ）に示すように、誘導線Ｌの延在方向における基点マークＭ１の長さが５００ｍｍ、基点マークＭ１の後端が基点マークＭ１の基準位置ＲＰである場合を考える。
【００４７】
図５の（ａ）では、図４の（ａ）と同様に、基点マークＭ１の後端が撮像画像Ｉの計測位置ＭＰに位置している。しかしながら、基点マークＭ１の検出位置ＤＰが、誘導線Ｌの延在方向における基点マークＭ１の中央として設定されるため、この設定された中央位置に対する基点マークＭ１の検出位置ＤＰのズレ（誤さ）は、−２５０ｍｍとなる。図５の（ｂ）では、図４の（ｂ）と同様に、基点マークＭ１の後端から３００ｍｍの位置が撮像画像Ｉの計測位置ＭＰに位置している。しかしながら、基点マークＭ１の検出位置ＤＰが、誘導線Ｌの延在方向における基点マークＭ１の中央として設定されるため、この設定された中央位置に対する基点マークＭ１の検出位置ＤＰのズレ（誤さ）は、５０ｍｍとなる。図５の（ｃ）では、図４の（ｃ）と同様に、基点マークＭ１の前端が撮像画像Ｉの計測位置ＭＰに位置している。しかしながら、基点マークＭ１の検出位置ＤＰが、誘導線Ｌの延在方向における基点マークＭ１の中央として設定されるため、この設定された中央位置に対する基点マークＭ１の検出位置ＤＰのズレ（誤さ）は、２５０ｍｍとなる。このように、基点マークＭ１の検出位置ＤＰを補正することで、最大誤差が、誘導線Ｌの延在方向における基点マークＭ１の半分の長さ（２５０ｍｍ）に抑えられる。
【００４８】
補正基点マーク検出部１６は、撮像画像Ｉの計測位置ＭＰにおいて補正基点マークＭ２を検出すると、計測位置ＭＰにおける補正基点マークＭ２の検出位置を、誘導線Ｌの延在方向における補正基点マークＭ２の中央として設定する。なお、補正基点マークＭ２の検出位置の設定は、基点マーク検出部１５による基点マークＭ１の検出位置ＤＰの設定と同様である。
【００４９】
残距離取得部１２は、基点マーク検出部１５により設定された位置、つまり、誘導線Ｌの延在方向における基点マークＭ１の中央の位置に基づいて、車両Ｖの停止予定位置Ｐまでの残距離を取得する。具体的には、基点マークＭ１の基準位置から誘導線Ｌの延在方向における基点マークＭ１の中央までの距離と、誘導線Ｌの延在方向における基点マークＭ１の中央から停止予定位置Ｐまでの距離との合計値を、車両Ｖの停止予定位置Ｐまでの残距離として取得する。また、残距離取得部１２は、補正基点マーク検出部１６により補正された位置（誘導線Ｌの延在方向における補正基点マークＭ２の中央の位置）、及び基点マークＭ１から補正基点マークＭ２までの距離とその間に車両Ｖの車輪が回転することにより積算された距離との関係から求まる補正係数に基づいて、車両Ｖの停止予定位置Ｐまでの残距離を補正する。
【００５０】
［動作］
次に、本実施形態に係る運転支援装置１の動作について説明する。
【００５１】
図６は、実施形態に係る運転支援装置の動作を示すフローチャートである。図６に示すように、運転支援装置１は、誘導線Ｌを探査し（Ｓ１）、誘導線Ｌを検出したと判定した場合（Ｓ２：ＹＥＳ）、基点マークＭ１を探査する。
【００５２】
基点マークＭ１を検出したと判定した場合（Ｓ３：ＹＥＳ）、運転支援装置１は、基点マークＭ１に基づく停止予定位置Ｐまでの残距離を取得する（Ｓ４）。ステップＳ４では、運転支援装置１は、計測位置ＭＰにおける基点マークＭ１の検出位置ＤＰを、誘導線Ｌの延在方向における基点マークＭ１の中央として設定する。
【００５３】
次に、運転支援装置１は、ステップＳ１で検出した誘導線Ｌに基づいて車両Ｖを操舵制御するとともに、ステップＳ４で取得した残距離に基づいて車両Ｖを減速制御する（Ｓ５）。そして、補正基点マークＭ２を探査する。
【００５４】
補正基点マークＭ２を検出したと判定した場合（Ｓ６：ＹＥＳ）運転支援装置１は、補正基点マークＭ２の位置、及び基点マークＭ１又は曲率特徴点Ｃから補正基点マークＭ２までの距離とその間に車輪が回転することにより積算される距離との関係から求まる補正係数に基づいて残距離を補正して、操舵制御及び減速制御を継続する（Ｓ７）。なお、補正基点マークＭ２を検出できなかった場合は、残距離を補正することなく、操舵制御及び減速制御を継続する。そして、車両Ｖが停止予定位置Ｐで停止すると、処理を終了する。
【００５５】
以上説明したように、本実施形態では、残距離取得部１２は、誘導線検出部１１が検出した基点マークＭ１に基づいて残距離を取得するため、高精度に車両Ｖを停止予定位置Ｐに停止させることができる。そして、誘導線検出部１１は、撮像画像Ｉの計測位置ＭＰにおいて基点マークＭ１を検出すると、撮像画像Ｉの計測位置ＭＰにおける基点マークＭ１の検出位置ＤＰを、誘導線Ｌの延在方向における基点マークＭ１の中央として設定する。これにより、カメラ２のリフレッシュレートにより基点マークＭ１を１回しか検出できなくても、設定される基点マークＭ１の位置は常に誘導線Ｌの延在方向における基点マークＭ１の中央となるため、基点マークＭ１の検出位置ＤＰの最大誤差は基点マークＭ１の半分の長さとなる。これにより、基点マークＭ１の検出位置ＤＰの最大誤差を小さくすることができる。
【００５６】
また、誘導線Ｌが互いに平行な一対の破線により形成されており、基点マークＭ１が一対の破線のそれぞれに含まれていることで、誘導線Ｌと他の区画線とを容易に区別することができるとともに、基点マークＭ１を容易に検出することができる。
【００５７】
また、基点マークＭ１が誘導線Ｌを構成する線分Ｓの線幅よりも広い線幅で表されていることで、基点マークＭ１の形状を単純化しつつ、撮像画像Ｉからの基点マークＭ１の検出容易性を確保することができる。
【００５８】
また、残距離取得部１２は、誘導線検出部１１が検出した補正基点マークＭ２の検出位置、及び基点マークＭ１から補正基点マークＭ２までの距離とその間に車両Ｖの車輪が回転することにより積算された距離との関係から求まる補正係数に基づいて残距離を補正するため、より高精度に車両Ｖを停止予定位置Ｐに停止させることができる。そして、誘導線検出部１１は、撮像画像Ｉの計測位置ＭＰにおいて補正基点マークＭ２を検出すると、撮像画像Ｉの計測位置ＭＰにおける補正基点マークＭ２の検出位置ＤＰを、誘導線Ｌの延在方向における補正基点マークＭ２の中央として設定する。これにより、カメラ２のリフレッシュレートにより補正基点マークＭ２を１回しか検出できなくても、設定される補正基点マークＭ２の位置は常に誘導線Ｌの延在方向における補正基点マークＭ２の中央となるため、補正基点マークＭ２の検出位置ＤＰの最大誤差は補正基点マークＭ２の半分の長さとなる。これにより、補正基点マークＭ２の検出位置の最大誤差を小さくすることができる。
【００５９】
また、操舵制御部１４が誘導線Ｌに基づいて車両Ｖを操舵制御するため、より高精度に車両Ｖを停止予定位置Ｐに停止させることができる。
【００６０】
以上、本発明の好適な実施形態について説明したが、本発明は、上記実施形態に限られるものではなく、各請求項に記載した要旨を変更しない範囲で変形し、又は他のものに適用してもよい。
【００６１】
例えば、上記実施形態では、補正基点マークＭ２についても検出位置を補正するものとして説明したが、補正基点マークＭ２を検出する際は、車速が十分に小さくなっているため、補正基点マークＭ２については特に検出位置を補正しなくてもよい。
【００６２】
また、上記実施形態では、カメラが１つの基点マークを１回だけ撮像した場合について説明したが、カメラが１つの基点マークを複数回撮像した場合にも、誘導線検出部は、撮像画像の計測位置において基点マークを検出すると、計測位置における基点マークの検出位置を、誘導線の延在方向における基点マークの中央として設定してもよい。
【符号の説明】
【００６３】
１…運転支援装置、２…カメラ、３…アクチュエータ、１０…ＥＣＵ、１１…誘導線検出部、１２…残距離取得部、１３…制動制御部、１４…操舵制御部、１５…基点マーク検出部、１６…補正基点マーク検出部、Ｉ…撮像画像、Ｌ…誘導線、Ｓ…線分、Ｍ１…基点マーク、Ｍ２…補正基点マーク、Ｐ…停止予定位置、ＲＰ…基準位置、ＭＰ…計測位置、ＤＰ…検出位置、Ｖ…車両。
【図１】
2019192109.tif 000003
【図２】
2019192109.tif 000004
【図３】
2019192109.tif 000005
【図４】
2019192109.tif 000006
【図５】
2019192109.tif 000007
【図６】
2019192109.tif 000008